(57)【要約】  ビールを加圧下で保存するためのビール樽は、外壁および該ビール樽の外壁を通って延びる圧力抜き通路を有する。該ビール樽は、通常、該通路を閉じる該通路に配置された破裂ディスクを有する。該ディスクは、該ビール樽中の該圧力が所定の圧力値を超えると破裂して、流体を、該ビール樽から、該通路を介して逃がすように適合される。該樽は、該通路を覆うそれに取り付けられた解除式キャップを有する。該解除式キャップは、流体を該通路から逃がす通気開口を有する。該キャップは解除式で、該破裂ディスクを変更するための該通路へのアクセスを可能にする。好ましくは、約７バールを超える該樽中に蓄積された圧力は、該破裂ディスクを破裂させる。
2007537947.tif 000002
【特許請求の範囲】
【請求項１】
加圧下でアルコール飲料を保存するために適合された容器であって：
該容器の壁を通って延びる圧力抜き通路；および
通常、該通路を閉じるための通路に配置され、破裂して、該容器内の圧力が所定の圧力値を超えると、流体を、該通路を介して、該容器から逃がすように適合された破裂ディスクを含む該容器。
【請求項２】
さらに、該通路を覆う該容器に取り付けられた解除式キャップを含み、ここに該解除式キャップは、少なくとも１つの通気開口部を有して、それを通って、該通路から流体を逃がし、ならびにここに、該キャップは解除式で、該破裂ディスクを変更するために該通路へのアクセスを可能にする請求項１記載の容器。
【請求項３】
さらに、管様部分がそれとの密閉関係で取り付けられた該容器の壁に開口部を含み、ここに該管様部分は、該破裂ディスクを配置するための内側縁表面部分および該解除式キャップを受け取るための外側縁表面部分を有し、ここに、該通路は該管様部分を通って延びる請求項２記載の容器。
【請求項４】
該管様部分が該容器の該開口部を介して圧入され、該容器に該管様部分を固定するためにフック様部分を有する請求項３記載の容器。
【請求項５】
該所定の圧力値が約７バールである請求項１記載の容器。
【請求項６】
該破裂ディスクが、該リングの少なくとも１つの側面を横切って延びる少なくとも１つの膜を有するリングを含む請求項１記載の容器。
【請求項７】
該リングがポリ塩化ビニルプラスチックを含み、該少なくとも１つの膜が、アルミニウムホイルで覆われたポリ塩化ビニルプラスチックの層を含む請求項６記載の容器。
【請求項８】
加圧下でビールを保存するために適合されたビール樽であって：
外壁；
該ビール樽を満たし、それからビールを分注するためにおよび該ビール樽を加圧するために該外壁に取り付けられたバルブアセンブリ；
該ビールを保存するために該ビール樽内の該バルブアセンブリに取り付けられたビールバッグ；
該ビール樽の外壁を通って延びる圧力抜き通路；および
通常、該通路を閉じるための該通路に配置され、該ビール樽中の圧力が所定の圧力値を超えると、破裂して、該通路を介して、流体を、該ビール樽から逃がすように適合された破裂ディスクを含む該ビール樽。
【請求項９】
さらに、該通路を覆う該ビール樽に取り付けられた解除式キャップを含み、ここに該解除式キャップは、少なくとも１つの通気開口を有して、該通路から、それを介して、流体を逃がし、ここに該キャップは解除式で、該破裂ディスクを変更するために該通路へのアクセスを可能にする請求項１記載のビール樽。
【請求項１０】
さらに、管様部分がそれとの密閉関係において取り付けられた該ビール樽の該外壁における開口部を含み、ここに該管様部分は、該破裂ディスクを配置するための内側リム表面部分および該解除式キャップを受け取るための外側リム表面部分を有し、ここに、該通路は、該管様部分を通って延びる請求項２記載のビール樽。
【請求項１１】
該管様部分が該ビール樽の該開口部を介して圧入され、該管様部分を該ビール樽に固定するためのフック様部分を有する請求項３記載のビール樽。
【請求項１２】
該所定の圧力値が約７バールである請求項１記載のビール樽。
【請求項１３】
該破裂ディスクが、該リングの少なくとも１つの側面を横切って延びる少なくとも１つの部分を有するリングを含む請求項１記載のビール樽。
【請求項１４】
該リングがポリ塩化ビニルプラスチックを含み、該膜が、アルミニウムホイルで覆われた１層のポリ塩化ビニルプラスチックを含む請求項６記載のビール樽。
【請求項１５】
中央開口を有する支持リング；および
その少なくとも１つの側面上の該支持リングに貼り付けられて、該中央開口を閉じる少なくとも１つの膜層を含み、ここに、該膜層は、該第１の流体が、該破裂ディスクに対して適用された所定の圧力を超えると破裂して、それにより、該第１の流体を、該支持リングの該中央開口を通させるように適合されるそれを介して第１の流体の通路を制御するために適合された破裂ディスク。
【請求項１６】
該支持リングがプラスチック物質を含む請求項１５記載の破裂ディスク。
【請求項１７】
該支持リングがポリ塩化ビニルプラスチックを含む請求項１６記載の破裂ディスク。
【請求項１８】
該少なくとも１つの膜の各々が、アルミニウムホイル層によって覆われた１層のポリ塩化ビニルプラスチックを含む請求項１５記載の破裂ディスク。
【請求項１９】
該少なくとも１つの膜が、加熱圧延によって該支持リングに貼り付けられる請求項１８記載の破裂ディスク。
【請求項２０】
該少なくとも１つの膜の各々が、アルミニウムホイル層によって覆われた１層のポリ塩化ビニルプラスチックを含む請求項１７記載の破裂ディスク。
【請求項２１】
該少なくとも１つの膜が、加熱圧延によって該支持リングに貼り付けられる請求項２０記載の破裂ディスク。
【請求項２２】
該所定の圧力値が約７バールである請求項１５記載の破裂ディスク。
【請求項２３】
該第１の流体の各々が空気である請求項１４記載の破裂ディスク。
【発明の詳細な説明】
【技術分野】
【０００１】
本発明は、高圧条件を軽減するための破裂ディスクを有するアルコール飲料容器に関する。
【背景技術】
【０００２】
ボール紙製の容器に収容されたバッグ内にワインのようなアルコールを収容することは知られている。さらに、該バッグ中にビールを保存するために樽に挿入されたバッグを使用することは知られている。ビール樽の場合において、圧力を該バッグに適用して、該ビールを、バルブボディーアセンブリを介して、該バッグからおよび該樽の外へ分注する。さらに、該バルブボディーアセンブリを介して、該ビールが該バッグへと満たされる前に、該バッグは該樽に挿入される。
【０００３】
該バッグをビールで満たす工程の間、該ビールを加圧下で該バッグへと充填する。該バッグが膨らむにつれ、該容器壁および該バッグの間の該容器内に含有された空気は、該容器のもう一方のバルブで調節された開口部を通って出て行く。一旦該バッグがビールで満たされると、該バルブは閉じる。いくつかの例において、もし該バッグが過剰に充填されると、該炭酸飲料は膨張し続けて、ビール爆弾を作り出しかねない。従って、該容器にかかり得る過度の圧力を相殺する安全機能を提供する必要がある。
【発明の開示】
【０００４】
発明の概要
本発明は、加圧下でアルコール飲料を保存するのに適合された容器に関する。圧力放出通路および通常該通路を閉じる破裂ディスクを有する該容器が提供される。該破裂ディスクは、該容器中の圧力が所定の圧力値を越えると破裂するように調整される。該破裂ディスクの使用は、もし該容器内の圧力が所定値を超えると、アルコール飲料またはガスといった該容器内に収容された該流体が外に抜け出ることができるという利点を提供する。
【０００５】
本発明の態様に従って、加圧下でアルコール飲料を保存するのに適合された容器が提供される。該容器は、該容器の壁を通って延びる圧力放出通路および該通路中に位置する破裂ディスクを含む。該破裂ディスクは、通常、該通路を閉じ、該容器中の圧力が所定の圧力値を超えると破裂して、該通路を介して、流体を該容器から逃げさせるように調整される。
【０００６】
本発明のもう１つの態様に従って、それを通る第１の流体の通路を制御するために適合された破裂ディスクが提供される。該破裂ディスクは、中央開口部を有する支持リングを含む。また、該破裂ディスクは、該中央開口部を閉じるために、その少なくとも１つの側面上に該支持リングを有する密閉関係で貼りつけられた少なくとも１つの膜を含む。該少なくとも１つの膜は、該第１の流体が、該破裂ディスクに対して適用された所定の圧力を超えると破裂するように適合され、それにより、該第１の流体を、該支持リングの該中央開口部を通過させる。
【０００７】
該支持リングはプラスチック物質を含むと予測される。好ましくは、該支持リングは、ポリ塩化ビニルプラスチックを含む。該膜は、１以上の層のプラスチックおよび／またはホイル物質を含んでもよい。好ましくは、該膜は、アルミニウムホイル層で覆われたポリ塩化ビニルプラスチックの層を含む。該膜は、該支持リングに、いずれかの適当な手段によって貼り付けられてよい。好ましくは、該膜層は、該支持リングに、加熱圧延によって貼り付けられる。
【０００８】
代替の具体例において、該２つの膜は、密閉関係で、該支持リングの反対側の側面上の該支持リングによって貼り付けられてよい。
【０００９】
好ましい適用において、該破裂ディスクは、アルコール収容樽における使用に適合されて、それにより、該第１および第２の流体は、各々、空気である。
【００１０】
発明の詳細な記載
図１および２を参照して、家庭用ビール分注装置、器具またはユニット１０が示される。該分注装置１０は、主に、家庭の台所での使用に意図されるが、ユーティリティ室、ガレージ、家庭内バー、キャラバン等で使用されてもよい。該好ましい具体例は、ビールを分注することに関するが、別法として、炭酸溶液または他のアルコール飲料を、装置１０によって分注してもよい。
【００１１】
該家庭用ビール分注装置１０は、前壁１２および該前壁１２より前方に突き出ている分注タップ１４を有する。ドリップトレイ１６も該前壁１２より前方に突き出ており、該分注タップ１４下の空のガラス容器１８を支えるように適合される。該家庭用ビール分注装置１０は、さらに、台所においてカウンタートップの上に静止するように適合されたベース２１を有する。該前壁１２は、閉鎖位置および開放位置の間を動かされて、該容器または樽２２（破線の図２参照）を該家庭用ビール分注装置１０のハウジングへと挿入させる２つの駆動する側壁２０の拡張として形成される。該家庭用ビール分注装置１０のハウジングは、さらに、頂壁２４および背壁２６を含む。該背壁２６は、該家庭用ビール分注装置１０内の空気の循環を可能にするグリル３０を有する。電気コード３２は、該装置１０の該背壁２６を通って延びて、主電源供給への接続を提供して、該分注装置１０内に収容された該電気要素に電力を供給する。別法として、１２ボルトＤＣ供給インプットを使用してもよい。
【００１２】
該分注装置１０は、分注装置１０に入れられた時、ビールの該樽２２を冷却するように適合された樽２２の後方および下方に位置する冷却システム３４を有する。また、該分注装置１０は、圧縮空気供給を提供することによって、該ビールを分注する（示されず）。
【００１３】
図３を参照して、ビール樽２２は、側壁４０および頂壁または頂部４２および下壁または下部４４を有する一般的な管状形を有する。頂壁４２および下壁４４の両方は、該樽２２の中心部分から上向きに曲げられ、隆起した環状カラー４６と提供される。該カラー４６は、該樽２２に対するさらなる支持体を提供する。
【００１４】
好ましい具体例においてはビール５２であるアルコール飲料を収容するためのプラスチックバッグ５０が該樽壁４０、４２および４４内に取り付けられる。
【００１５】
図３に示されるように、該樽は、該バッグ５０内のビール５２で満たされ、結果として、該バッグ５０は、該樽２２の内壁を覆う。該ビール５２が該樽２２から分注されるにつれ、空気圧力は、該バッグ５０の壁および該樽の壁４０、４２および４４の内側表面の間に確立されて、該バッグ５０に圧力を提供して、該ビール５２を該樽２２から分注させる。該空気圧力空間は、５５に示される。
【００１６】
該頂部４２および樽２２の該頂部４２に配置されたカラー４６は、樽分注デバイスまたは該頂部カラー４６を通って延びるバルブ６０を有する。該樽分注デバイス６０は、その頂部端６２にて、該樽分注デバイス６０から延びる管またはタップ接続（示されず）によって、該ビール分注装置１０の該タップ１４に接続される。
【００１７】
該分注デバイス６０は、バッグ５０内で、該樽２２に延びる浸漬管６６を有して、該樽２２の該底部分４４からビール５２を吸い上げるために、該樽の該底部分４４の隣に遠隔開口端６４を供する。ビール５２は、開口端６４を通って、中空管６６を上方へ、端部６２を通ってタップ１４へと吸い上げられる（図１）。充填のためには、ビールはバルブ端部６２を通って管６６を下方へ、かつ端部６４から外に、バッグ５０へと挿入される。端部分６４を介して内外へのビール５２の双方向の流れは、図３において、矢印６７によって示される。
【００１８】
図３ないし６を参照して、該樽２２は、該樽壁４２の頂部に取り付けられた圧力抜き通路１００を含むように示される。該空気抜き通路１００は、該樽２２の該開口部１０１を介して圧入される管様部分１０２を有する。該管様部分１０２は、該管様部分１０２を、掛け金様式で、該樽２２の該壁４２に固定するフック様部分１０３を有する。該管様部分１０２は、解除式キャップ１０４を受け取るための外側リム表面部分１１２を有する。実際には、該通路１００は、該管様部分１０２によって提供された該構造を通って延びることが理解されるべきである。
【００１９】
該破裂ディスク１０４は、通常、該通路１００を閉じるための該通路１００の該リム表面部分１１０上に配置される。該破裂ディスク１０４は、該樽中の該圧録が所定の圧力値を超えると破裂して、流体を該樽２２から該通路１００を介して逃がすように適合される。示された具体例において、この圧力値は、好ましくは、約７バール±１０％である。
【００２０】
該破裂ディスク１０４は、図５に示されるように、中央開口１２１を有する支持リング１２０を含む。好ましくは、該リング１２０は、ポリ塩化ビニルプラスチックから作成される。該リング１２０は、その少なくとも１つの側面上で、それに貼り付けられた少なくとも１つの膜を有する。示された具体例において、２つの膜１２２は、該支持リング１２０の対立する側面に貼り付けられる。該膜１２２は、各々、好ましくは、アルミニウムホイル層で覆われた１層のポリ塩化ビニルプラスチックを含む。該膜１２２は、該リング１２０に加熱圧延される。該得られた破裂ディスク１０４は、該リング内および該膜１２２の間に閉じ込められた空洞部分１２３（図６）を有する。膜物質の選択、およびその厚みは、該破裂ディスクが膜１２２を破裂させて、流体を、該リング１２０を介して逃がす該圧力を決定する。
【００２１】
解除式キャップ１０６は、例えば、糸のような適当な手段によって、該管様部分１０２の該外側リム表面部分１１２で取り付けられて、それにより、該通路１００内に該破裂ディスク１０４を封入する。該解除式キャップ１０６は、該管様部分１０２の該内側リム表面部分１１０に対して、効果的に該破裂ディスクを所定の位置に保持することが理解されるべきである。該解除式キャップ１０６は、該破裂ディスクが破裂した際に、流体を、該通路１００から、通気開口を介して逃がす該通気開口１１０を有する。該キャップ１０６は、該管様部分１０２から解除可能で、該通路１００へのアクセスを提供して、破裂した破裂ディスクを破裂していない破裂ディスクと変更または交換される。
【００２２】
該樽２２が、ビール器具ユニット１０による使用のために、該示された具体例において記載されてきたが、本発明は、器具ユニット以外の器具における用途を発見し得る樽および他のアルコール容器で使用され得ることが理解されるべきである。
【００２３】
本発明の性質および目的をより良く理解するために、添付の線図に言及してもよい：
【図面の簡単な説明】
【００２４】
【図１】図１は、本発明による家庭用ビール分注装置の正面図である；
【図２】図２は、該家庭用ビール分注装置の側面図である；
【図３】図３は図２の該ビール分注装置内に示された該樽の側断面図である；
【図４】図４は、本発明の空気抜き通路、破裂ディスクおよびキャップの拡大分解図である；
【図５】図５は、破裂ディスクの正面図である；
【図６】図６は、図５の部分ＶＩ−ＶＩでとられた破裂ディスクの断面図である。
【図１】
2007537947.tif 000003
【図２】
2007537947.tif 000004
【図３】
2007537947.tif 000005
【図４】
2007537947.tif 000006
【図５】
2007537947.tif 000007
【図６】
2007537947.tif 000008
【国際調査報告】
2007537947.tif 000009
2007537947.tif 000010
2007537947.tif 000011
2007537947.tif 000012